(57)【要約】【課題】袋本体の表裏に掛止部材が貼着されたドリップバッグにおいて、ドリップバッグをカップに掛止した状態でカップ内を見やすくする。【解決手段】上部が開口する袋本体１０、及び袋本体１０の対向する２面の外表面に設けられた掛止部材２０を有するドリップバッグ１Ａであって、掛止部材２０が上部帯状部２１、上部帯状部２１の下側で、袋本体１０の幅方向の中心線Ａの両側に形成された一対の掛止部２３、掛止部２３の下側に設けられた引き起こし不能の中央貼着部２５、及び一対の掛止部２３の、袋本体の側辺側の端部を中央貼着部２５の下側で連続させる連結部２７を有する。掛止部２３は、中心線Ａ側の端部が袋本体１０上に固定され、袋本体側辺側から引き起こし可能である。中央貼着部２５は、中心線Ａの両側に斜め折れ線Ｂ1a、Ｂ1bを有する。斜め折れ線Ｂ1a、Ｂ1bと中心線Ａとの距離が、斜め折れ線Ｂ1a、Ｂ1bの上端に比して下端が大きい。【選択図】図１Ａ
2020025855.tif 000002
【特許請求の範囲】
【請求項１】
上部が開口する袋本体、及び袋本体の対向する２面の外表面に設けられた掛止部材を有するドリップバッグであって、
袋本体は通水濾過性シートから形成され、
掛止部材は薄板状材料から形成され、
袋本体の対向する各面の外表面において、掛止部材は、袋本体の開口縁部に沿って設けられた引き起こし不能の上部帯状部、
上部帯状部の下側で、袋本体の幅方向の中心線の両側にそれぞれ形成された一対の掛止部、
一対の掛止部の下側に設けられた引き起こし不能の中央貼着部、及び
一対の掛止部の、袋本体の側辺側の端部を中央貼着部の下側で連続させる連結部を有し、
各掛止部は、前記中心線側の端部が袋本体上に固定されて袋本体の側辺側から引き起こし可能であり、
中央貼着部は、前記中心線の両側に斜め折れ線を有し、該斜め折れ線と前記中心線との距離が、該斜め折れ線の上端に比して下端が大きいドリップバッグ。
【請求項２】
袋本体の対向する各面の外表面において、掛止部材は、掛止部よりも袋本体側辺側に、上部帯状部から下方に延設された補強部を有する請求項１記載のドリップバッグ。
【請求項３】
一対の掛止部の前記中心線側の端部が、その上端が上部帯状部と連続し、下端が中央貼着部と連続していることにより袋本体に固定されている請求項１又は２記載のドリップバッグ。
【請求項４】
一方の掛止部の前記中心線側の端部から他方の掛止部の前記中心線側の端部にかけての領域が袋本体に貼着されていない請求項３記載のドリップバッグ。
【請求項５】
一対の掛止部の前記中心線側の端部に折れ線を有する請求項１〜４のいずれかに記載のドリップバッグ。
【請求項６】
一対の掛止部の下辺の袋本体側辺側に凹部が形成されている請求項１〜５のいずれかに記載のドリップバッグ。
【請求項７】
上部帯状部の前記中心線の両側に上下方向の折れ線を有する請求項１〜６のいずれかに記載のドリップバッグ。
【請求項８】
請求項１〜７のいずれかに記載のドリップバッグの袋本体に抽出材料が充填されており、袋本体の上部に易開裂線が形成されているドリップバッグ。
【発明の詳細な説明】
【技術分野】
【０００１】
本発明は、カップ等の容器の上部に掛止することにより、容易にドリップ式でコーヒー、紅茶、緑茶、漢方薬等の抽出液を得られるようにするドリップバッグに関する。
【背景技術】
【０００２】
従来、手軽に本格的なコーヒーを楽しむことを可能とするコーヒーの入れ方として、ペーパードリップ方式が広く普及している。このペーパードリップ方式では、通常、数杯分のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのドリップバッグが種々の製品形態で市場に出回っている。
【０００４】
このようなドリップバッグのうち生産性に優れたものとして、上端部が開口する袋本体の対向する２面の外表面に、薄板状材料からなる掛止部材が貼着されており、その掛止部材が袋本体から引き起こし可能な掛止部を有し、掛止部でドリップバッグがカップに掛止されるようにしたものがある。より具体的には、掛止部の下側が袋本体に固定され、掛止部が、袋本体の上辺側から引き起こされるようにしたもの（特許文献１）、掛止部の袋本体中心側が袋本体に固定され、掛止部が袋本体側辺側から引き起こされるようにしたもの（特許文献２、３）などがある。
【先行技術文献】
【特許文献】
【０００５】
【特許文献１】特許４０７９０４１号公報
【特許文献２】特許４６５２０００号公報
【特許文献３】特開２０１５−１４６９３２号公報
【発明の概要】
【発明が解決しようとする課題】
【０００６】
上述した特許文献２、３に記載のドリップバッグのように、掛止部が袋本体側辺側から引き起こされるようにしたものは、特許文献１に記載のドリップバッグのように掛止部が袋本体上辺側から引き起こされるようにしたものに比して横長の袋本体に適合し、袋本体の開口形状を広くすることができる。
【０００７】
しかしながら、袋本体を横長に形成して袋本体に広い開口形状を確保すると、ドリップバッグをカップに掛止した状態でカップ内が見づらくなり、ドリップバッグへの注湯時にカップ内の湯量がわかりにくくなる。
【０００８】
これに対し、本発明は、袋本体の表裏に、薄板状材料から形成された掛止部材が貼着され、該掛止部材が、袋本体から引き起こし可能な掛止部を有するドリップバッグにおいて、袋本体に広い開口形状を確保し、かつドリップバッグをカップに掛止した状態でカップ内を見やすくすることを課題とする。
【課題を解決するための手段】
【０００９】
本発明者は、袋本体の表裏に、薄板状材料から形成された掛止部材を貼着したドリップバッグにおいて、掛止部材に、袋本体側辺側から引き起こされる掛止部を設けると共に、その掛止部の下方に、特定の折れ線を有する中央貼着部を設けると、ドリップバッグをカップに掛止した状態でカップの側壁と中央貼着部との間隙が広がり、カップ内が見やすくなることを想到し、本発明を完成した。
【００１０】
即ち、本発明は、上部が開口する袋本体、及び袋本体の対向する２面の外表面に設けられた掛止部材を有するドリップバッグであって、
袋本体は通水濾過性シートから形成され、
掛止部材は薄板状材料から形成され、
袋本体の対向する各面の外表面において、掛止部材は、袋本体の開口縁部に沿って設けられた引き起こし不能の上部帯状部、
上部帯状部の下側で、袋本体の幅方向の中心線の両側にそれぞれ形成された一対の掛止部、
一対の掛止部の下側に設けられた引き起こし不能の中央貼着部、及び
一対の掛止部の、袋本体の側辺側の端部を中央貼着部の下側で連続させる連結部を有し、各掛止部は、前記中心線側の端部が袋本体上に固定されて袋本体の側辺側から引き起こし可能であり、
中央貼着部は、前記中心線の両側に斜め折れ線を有し、該斜め折れ線と前記中心線との距離が、該斜め折れ線の上端に比して下端が大きいドリップバッグを提供する。
【発明の効果】
【００１１】
本発明のドリップバッグによれば、袋本体の対向する２面の各外表面において、袋本体の幅方向の中心線の両側に設けられている一対の掛止部は、それぞれが袋本体の側辺側から引き起こし可能であり、袋本体中心線側の端部が袋本体上に固定されているので、掛止部の袋本体中心線側の端部は、掛止部の袋本体の側辺側が引き起こされるときの軸になる。このため、掛止部材を横長に（即ち、袋本体の幅方向に長く）形成することにより、袋本体をカップに掛止させるために掛止部に必要とされる袋本体幅方向の長さを十分に確保することができる。また、掛止部材を横長に形成することにより該掛止部材で支持される袋本体も横長に形成することができるので、袋本体の開口形状を大きくすることができる。このため、ドリップバッグを用いて抽出液を得るときには、ドリップバッグへの注湯が容易となる。
【００１２】
さらに、このドリップバッグの中央貼着部には、袋本体の幅方向の中心線の両側に斜め折れ線が形成されているので、ドリップバッグをカップに掛止した状態で、前記中心線の両側の斜め折れ線で挟まれた領域の面が斜め下向きに傾く。これにより、ドリップバッグをカップに掛止させた状態で、カップの開口面がドリップバッグによって広く覆われても、カップの側壁とドリップバッグの中央貼着部との隙間が広がり、この隙間を通してカップ内を見ることができる。したがって、ドリップバッグへの注湯時に湯量を確認することが可能となる。
【００１３】
加えて、このドリップバッグによれば、袋本体の対向する２面の各外表面において、一対の掛止部の、袋本体の側辺側の下端が中央貼着部の下側の連結部で連続しているので、ドリップバッグをカップに掛止させた状態では、カップに掛止している掛止部の下端が連結部に引き寄せられ、それにより掛止部が僅かにねじられて引き起こしの軸の下端が該軸の上端よりもカップの開口壁側に引っ張られ、前記中心線の両側の斜め折れ線で挟まれた領域の面がより一層斜め下向きに傾き易くなる。この効果は、特に開口径の大きいカップで顕著となる。
【図面の簡単な説明】
【００１４】
【図１Ａ】図１Ａは、実施例のドリップバッグ１Ａの未開封状態の平面図である。
【図１Ｂ】図１Ｂは、実施例のドリップバッグ１Ａの開口過程を示す斜視図である。
【図１Ｃ】図１Ｃは、実施例のドリップバッグ１Ａをカップに掛止した状態の斜視図である。
【図１Ｄ】図１Ｄは、実施例のドリップバッグ１Ａをカップに掛止した状態の側面図である。
【図２】図２は、実施例のドリップバッグ１Ａの製造に使用するドリップバッグ製造用シートの平面図である。
【図３】図３は、実施例のドリップバッグ１Ａの製造方法の説明図である。
【図４Ａ】図４Ａは、実施例のドリップバッグ１Ｂの未開封状態の平面図である。
【図４Ｂ】図４Ｂは、実施例のドリップバッグ１Ｂの開口過程を示す斜視図である。
【図５】図５は、実施例のドリップバッグ１Ｃの未開封状態の平面図である。
【図６Ａ】図６Ａは、実施例のドリップバッグ１Ｄの未開封状態の平面図である。
【図６Ｂ】図６Ｂは、実施例のドリップバッグ１Ｄの開口過程を示す斜視図である。
【図７】図７は、実施例のドリップバッグ１Ｅの未開封状態の平面図である。
【図８Ａ】図８Ａは、比較例のドリップバッグ１Ｘの未開封状態の平面図である。
【図８Ｂ】図８Ｂは、比較例のドリップバッグ１Ｘをカップに掛止した状態の斜視図である。
【図８Ｃ】図８Ｃは、実施例のドリップバッグ１Ｘをカップに掛止した状態の側面図である。
【発明を実施するための形態】
【００１５】
以下、図面を参照しつつ本発明を具体的に説明する。なお、各図中、同一符号は同一又は同等の構成要素を表している。
【００１６】
（ドリップバッグの全体構造）
図１Ａは、本発明の一実施例のドリップバッグ１Ａの未開封状態の平面図であり、図１Ｂはこのドリップバッグ１Ａの開口過程の斜視図であり、図１Ｃ及び図１Ｄはこのドリップバッグ１Ａをカップ１００に掛止させた状態の斜視図及び側面図である。このドリップバッグ１Ａは、袋本体１０と袋本体１０の対向する２面の外表面（即ち、袋本体１０の表裏の面）に設けられた一対の掛止部材２０で形成されている。掛止部材２０は、後述するように、上部帯状部２１と、袋本体１０から引き起こし可能な掛止部２３と、袋本体１０から引き起こし不能の中央貼着部２５を有し、中央貼着部２５には左右一対の斜め折れ線Ｂ1a、Ｂ1bが形成されている。なお、図１Ａにおいて、斜線で塗りつぶした部分は、掛止部材２０と袋本体１０との貼着領域である。
【００１７】
（袋本体）
袋本体１０は、通水濾過性シートから形成され、その内部には抽出材料としてコーヒー粉が充填されている。
【００１８】
袋本体１０を形成する通水濾過性シートとしては、所定量のコーヒー粉を充填し、注湯した場合にコーヒーの浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、ドリップバッグの使用後の廃棄性の点から、通水濾過性シート材料には生分解性繊維を含有させることが好ましい。生分解性繊維としては、ポリ乳酸、ポリブチレンサクシネート、ポリエチレンサクシネート等を挙げることができる。
【００１９】
袋本体１０は、上辺１１ａ、下辺１１ｂ及び一方の側辺１１ｃがシールされ、他方の側辺１１ｄが通水濾過性シートの折山で輪になった矩形の平袋であり、対向する２面を有している。
【００２０】
袋本体１０の正味の平面寸法は、ドリップバッグを掛止するカップ又は容器の大きさに応じて適宜設定することができる。例えば、市販のコーヒーカップで、ドリップバッグの袋本体として使用できる大きさにすればよい。
【００２１】
（掛止部材）
掛止部材２０は、板紙、プラスチックシート等の薄板状材料の打ち抜きにより形成されている。この薄板状材料も、ドリップバッグ１Ａの使用後の廃棄性の点から、ポリ乳酸、ポリブチレンサクシネート、ポリエチレンサクシネート等の生分解性材料から形成したものが好ましい。
【００２２】
袋本体１０の表裏に設けられている各掛止部材２０は、袋本体１０の開口縁部に沿って設けられた引き起こし不能の上部帯状部２１、上部帯状部２１の下側（袋底部側）で、袋本体１０の幅方向の中心線Ａの両側にそれぞれ形成された左右一対の掛止部２３（２３ａ、２３ｂ）、掛止部２３の下側に設けられた引き起こし不能の中央貼着部２５を有している。
【００２３】
左右一対の掛止部２３（２３ａ、２３ｂ）は、それぞれ、中心線Ａ側の端部が袋本体上に固定されて袋本体の側辺側から引き起こし可能となっている。より具体的には、一方の掛止部２３ａの中心線Ａ側の端部から他方の掛止部２３ｂの中心線Ａ側の端部にかけての領域（以降、この領域を中間部２４ともいう）の上端が上部帯状部２１と連続し、下端が中央貼着部２５と連続することで中間部２４が袋本体１０から引き起こし不能となっており、この中間部２４が引き起こし不能となることで左右一対の掛止部２３の中心線Ａ側の端部が袋本体１０上に固定されている。中間部２４は、袋本体１０に貼着されておらず、袋本体から浮いている。このように、本発明において、掛止部２３の中心線Ａ側の端部が袋本体１０上に固定されているとは、この部分が袋本体１０から引き起こし不能であれば袋本体１０に貼着されていなくてもよい。一方、各掛止部２３ａ、２３ｂの袋本体の側辺側はＬ字型に屈曲し、カップに掛止できる形状となっている。
【００２４】
また、本実施例では、各掛止部２３ａ、２３ｂの中心線Ａ側の端部、即ち、各掛止部２３ａ、２３ｂと中間部２４との境界部分に折れ線Ｂ２が形成されている。したがって、図１Ｂに示すように、掛止部２３（２３ａ、２３ｂ）を袋本体の側辺１１ｃ、１１ｄ側から引き起こすと、折れ線Ｂ２が引き起こしの軸となり、掛止部２３の引き起こし形状が安定する。したがって、掛止部２３をカップ１００に掛けた後、掛止部２３がカップ１００から外れにくくなる。
【００２５】
左右一対の掛止部２３の下辺（中央貼着部２５の上辺と対向する辺）の袋本体側辺１１ｃ、１１ｄ側には凹部２６が形成されている（図１Ａ）。これにより、ドリップバッグ１Ａをカップ１００に掛止した場合に、掛止部２３の凹部２６にカップ１００の側壁の上縁部が入り、ドリップバッグ１Ａのカップ１００への掛止状態が安定する。袋本体上下方向の凹部２６の深さｈ１は、ドリップバッグ１Ａをカップに掛止したときにカップ内に垂下させる袋本体１０の深さ（言い換えると、カップに注湯した湯に袋本体をどの程度の深さで浸漬させるか）に応じて適宜定める。一方、掛止部２３の前記中心線Ａ側の袋本体上下方向の長さｈ２は、カップに掛止させたドリップバッグ１Ａの安定性の点から適宜定める。
【００２６】
一対の掛止部２３の袋本体側辺１１ｃ、１１ｄ側の端部同士は、弧状に湾曲した帯状の連結部２７を介して中央貼着部２５の下側で連続しており、中央貼着部２５が左右一対の掛止部２３と連結部２７で囲まれている。袋本体１０の表裏の各面において一対の掛止部２３の端部が連結部２７で連続していることにより、ドリップバッグ１Ａをカップ１００に掛止させた状態では、カップ１００に掛止している掛止部２３の下端が連結部２７に引き寄せられ、それにより掛止部２３に僅かにねじれが生じ、掛止部２３の引き起こしの軸となる折れ線Ｂ２の下端が該軸の上端よりもカップの開口壁側に引っ張られる。これにより、ドリップバッグ１Ａをカップ１００に掛止させた状態で、斜め折れ線Ｂ1a、Ｂ1bで挟まれた領域２５ａの面が下向きに傾くという本発明の効果を、連結部２７が無い場合に比してより得やすくなる。この効果は、特に開口径の大きいカップで顕著となる。
【００２７】
また、左右一対の掛止部２３よりも袋本体側辺１１ｃ、１１ｄ側には、上部帯状部２１から下方に延設された補強部２８が設けられている。本発明において補強部２８は必要に応じて設けられる。即ち、袋本体１０を開口後、掛止部２３をカップに掛けるために袋本体１０の表裏の掛止部２３を互いに反対方向に引っ張ったときに、補強部２８を設けることで袋本体１０の表裏方向の開きが抑制されるので、開口径の小さいカップにも掛止部２３を掛けやすくなる。また、補強部２８を設けることで袋本体１０の開口形状を柱状に安定させることができる。
【００２８】
中央貼着部２５は袋本体１０から引き起こし不能に設けられ、前記中心線Ａの両側に一対の斜め折れ線Ｂ1a、Ｂ1bを有している。斜め折れ線Ｂ1a、Ｂ1bは、それぞれ中心線Ａの片側に存在し、好ましくは中央貼着部２５の上辺から下辺まで、中央貼着部２５を斜めに縦断するように形成される。斜め折れ線Ｂ1a、Ｂ1bと前記中心線Ａとの距離は、該斜め折れ線Ｂ1a、Ｂ1bの上端に比して下端が大きい。これにより、後述するようにドリップバッグ１Ａの袋本体１０を開口し、ドリップバッグ１Ａをカップ１００に掛止すると、中心線Ａの両側の斜め折れ線Ｂ1a、Ｂ1bで挟まれた領域２５ａが斜め下向きとなるように傾き、中央貼着部２５とカップ１００の壁面との間隙が広がり、該間隙を通してカップ１００内を見ることが可能となる（図１Ｄ）。これに対し、中央貼着部２５に、中心線Ａの両側に中心線Ａと平行に袋本体の上下方向に折れ線を設けてもその折れ線で挟まれた領域はドリップバッグをカップに掛止しても下向きに傾かず、上述の効果を得ることはできない。
【００２９】
この領域２５ａが斜め下向きとなる効果を得やすくするため、斜め折れ線Ｂ1a、Ｂ1bの上端Ｂ1a-u、Ｂ1b-uは、掛止部２３の凹部２６よりも中心線Ａ側にあることが好ましく、中心線Ａ上にあってもよい。また、破線Ｂ1a’、Ｂ1b’で示したように、斜め折れ線Ｂ1a、Ｂ1bの下方への延長線が補強部２８と交差せず、かつ袋本体１０の下辺１１ｂと交差するように斜め折れ線Ｂ1a、Ｂ1bを形成することが好ましい。これに対し、斜め折れ線Ｂ1a、Ｂ1bの延長線が補強部２８と交差すると、補強部２８が屈曲しにくいことから、領域２５ａが斜め下向きとなる効果を得にくくなる。また、破線Ｂ1a’’、Ｂ1b’’で示したように斜め折れ線Ｂ1a、Ｂ1bの延長線が袋本体の側辺１１ｃ、１１ｄと交差すると、その交差部分よりも下側で袋本体１０が開きにくくなる。さらに、領域２５ａが斜め下を向きやすくするため、補強部２８の有無に関わらず、斜め折れ線Ｂ1a、Ｂ1bと中心線Ａとのなす角度が好ましくは５度以上、より好ましくは１０度以上となるようにすることが好ましい。また、領域２５ａの幅が狭すぎると斜め下向きとなる領域も狭くなり、ドリップバッグ１Ａをカップ１００に掛止した場合にカップ１００内を見やすくなる効果が小さくなることから、斜め折れ線Ｂ1a、Ｂ1bの下端Ｂ1a-b、Ｂ1b-bは、中央貼着部２５の幅を４等分に分割した場合に、中心線Ａから中央貼着部２５の１／４幅より外側の範囲Ｃ２にすることが好ましい。
【００３０】
なお、本発明のドリップバッグにおいて凹部２６の無い態様では、斜め折れ線Ｂ1a、Ｂ1bの上端Ｂ1a-u、Ｂ1b-uは、中央貼着部２５の幅を４等分に分割した場合に、中心線Ａから中央貼着部２５の１／４幅以内の範囲Ｃ１とすることが好ましい。またこの場合に斜め折れ線Ｂ1a、Ｂ1bの下端Ｂ1a-b、Ｂ1b-bは、凹部２６を有する前述の態様と同様とすることができる。
【００３１】
本発明において斜め折れ線Ｂ1a、Ｂ1bは必ずしも直線に限られず、また、斜め折れ線Ｂ1a、Ｂ1bは中心線Ａの両側にそれぞれ１本以上あればよく、必ずしも一対に限られない。
【００３２】
また、本発明において折れ線は、ドリップバッグをカップに掛止した場合に折れ曲がればよく、ミシン目、ハーフカット、筋押し等により形成することができる。図１Ａに示したドリップバッグ１Ａでは、斜め折れ線Ｂ1a、Ｂ1bは切れ線のみで形成されていてもよい。斜め折れ線Ｂ1a、Ｂ1bで分割された中央貼着部２５が、それぞれ下地の袋本体１０と貼着されているので、切れ線で囲まれた領域が袋本体１０から脱落することはない。
【００３３】
袋本体１０の表裏の上部帯状部２１は、袋本体１０から引き起こし不能に設けられている。また、上部帯状部２１は袋本体１０の側辺のうち輪になっている側辺１１ｄ側の端部で連続している。この連続により、後述するようにドリップバッグ製造用シート４０の製造に際して掛止部材２０を通水濾過性シート４１に貼着するときに、精確に所定の位置に貼着することが容易となり、袋本体１０の表裏の掛止部材２０の位置がズレることを防止できる。
【００３４】
上部帯状部２１には、前記中心線Ａの両側に、好ましくは袋本体１０の幅を略３等分する位置に上下方向の折れ線Ｂ３が形成されている。また、上部帯状部２１の上側にはミシン目等の易開裂線２９を介して切除部３０が延設されている。
【００３５】
（ドリップバッグの使用方法）
ドリップバッグ１Ａの使用方法としては、まず、易開裂線２９で切除部３０を切り取ることにより、袋本体１０の上端部も切り取り、袋本体１０を開口する。次に、連結部２７を把持して掛止部２３（２３ａ、２３ｂ）を引き起こし（図１Ｂ）、袋本体１０の表裏の掛止部２３を互いに反対方向に引っ張り、掛止部２３をカップ１００に掛止する。このとき、掛止部２３の凹部２６にカップ１００の側壁の上縁が入り、また、連結部２７でカップ１００の側壁が押さえられ、ドリップバッグ１Ａのカップ１００への掛止状態が安定する（図１Ｃ）。さらに、この掛止状態では、中央貼着部２５が斜め折れ線Ｂ1a、Ｂ1bで屈曲し、中央貼着部２５のうち斜め折れ線Ｂ1a、Ｂ1bで挟まれた領域２５ａが斜め下向きに傾く。したがって、図１Ｄに示すように、この領域２５ａとカップ１００の側壁との間隙が広がり、カップ１００を斜め上方から見た場合に、視線Ｘがカップ１００の内に達する。よって、袋本体１０を開口し、カップ１００に掛止したドリップバッグ１Ａに注湯するときに、カップ１００内の湯量がわかり、注湯量を適量に調節することが容易となる。特に、このドリップバッグ１Ａでは、中間部２４が袋本体１０に貼着されていないので、中間部２４は袋本体１０から浮き上がり、撓むことができる。このため、領域２５ａが斜め下向きに傾くときの屈曲の基点Ｐ（図１Ｃ、図１Ｄ）は、一対の掛止部２３の中心線Ａ側の下端同士を結んだラインよりも上側となり、また、中間部２４が袋本体１０に貼着されている場合よりも、カップ１００の開口壁側に突出した位置となる。これにより領域２５ａの鉛直方向に対する傾きは、中間部２４が袋本体１０に貼着されている場合よりも大きくなり、視線Ｘでカップ１００内の湯量を見ることがさらに容易になる。
【００３６】
これに対し、図８Ａに示すドリップバッグ１Ｘのように、中央貼着部２５に斜め折れ線Ｂ1a、Ｂ1bが形成されていないと、袋本体１０を開口し、掛止部２３を引き起こし、カップ１００に掛止しても（図８Ｂ）、図８Ｃに示すように、中央貼着部２５の面が略鉛直に立っているため、注湯時の視線Ｘが中央貼着部２５で遮られ、カップ１００内の湯量がわからない。このため、注湯時にカップ１００から湯が溢れてしまう場合があり、また、注湯後にカップ１００からドリップバッグ１Ｘを外してみると、注湯量が少なすぎたために再度ドリップバッグ１Ｘをカップ１００に掛止して注湯を行うことを余儀なくされるといった問題が生じる。
【００３７】
また、斜め折れ線Ｂ1a、Ｂ1bの上端と中心線Ａとの距離が、下端と中心線Ａとの距離よりも大きくなるように斜め折れ線Ｂ1a、Ｂ1bが傾いていると（図示せず）、斜め折れ線Ｂ1a、Ｂ1bで挟まれた領域２５ａの面が斜め上向きになりやすく、注湯時のカップ１００内を見る視線Ｘが、図８Ｃに示した状態よりもさらに遮られてしまう。
【００３８】
（ドリップバッグの製造方法）
ドリップバッグ１Ａの製造方法としては、まず、図２に示すように、長尺の通水濾過性シート４１に掛止部材２０を所定間隔で並べて貼着したドリップバッグ製造用シート４０を用意する。このドリップバッグ１Ａによれば、袋本体１０の表裏の掛止部材２０が連続しているため、この貼着時に表裏の掛止部材２０同士で貼着位置がずれることがなく、長尺の通水濾過性シート４１に掛止部材２０を精確に所定間隔で貼着することができる。なお、同図において、隣り合う二点鎖線で挟まれた領域が、ドリップバッグ一個分の製造に使用される領域となる。
【００３９】
次に、ドリップバッグ製造用シート４０を自動包装充填機にかけ、図３に示すようにドリップバッグ製造用シート４０の長手方向の両側辺を重ね合わせるように二つ折りにし、その長手方向の側辺同士を溶着（縦シール）することにより筒状体を形成する。筒状体の短手方向の溶着（横シール）と袋本体１０内への内容物の充填を交互に繰り返すことによりドリップバッグ１Ａの袋本体１０が上下に繋がったドリップバッグを製造し、これを切り離して個々のドリップバッグ１Ａを得る。あるいは、袋本体１０の上辺１１ａと下辺１１ｂの溶着時にそれらの溶断も同時に行い、個々に切り離されたドリップバッグ１Ａを連続的に製造する。
【００４０】
（変形態様）
本発明のドリップバッグは、上述のドリップバッグ１Ａの他にも種々の態様をとることができる。
【００４１】
例えば、図４Ａに示したドリップバッグ１Ｂのように、中央貼着部２５に形成する斜め折れ線Ｂ1a、Ｂ1bの上端を、袋本体幅方向の中心線Ａ側の掛止部２３の縁辺（折れ線Ｂ２）と中央貼着部２５との交点とすることができる。これにより、斜め折れ線Ｂ1a、Ｂ1bと中心線Ａとがなす角度θａ、θｂが大きくなるので、斜め折れ線Ｂ1a、Ｂ1bで挟まれた領域２５ａが扇形に近づいてより一層斜め下向きに傾きやすくなり（図４Ｂ）、注湯時のカップ内の観察がさらに容易となる。
【００４２】
図５に示したドリップバッグ１Ｃは、図１Ａに示したドリップバッグ１Ａに対して補強部２８を省略し、中間部２４が袋本体１０に貼着されている。中間部２４を袋本体１０に貼着することにより、掛止部２３の安定性を高めることができる。また、この態様では中間部２４が上部帯状部２１と連続せず、中央貼着部２５とも連続していない。
【００４３】
補強部２８が無いドリップバッグ１Ｃでは、斜め折れ線Ｂ1a、Ｂ1bの延長線が袋本体の側辺１１ｃ、１１ｄと交差せず、袋本体１０の下辺１１ｂと交差するように斜め折れ線Ｂ1a、Ｂ1bを形成することが好ましい。なお、図５に示したドリップバッグ１Ｃは掛止部２３に凹部２６を有するが、本発明のドリップバッグでは、凹部２６と補強部２８の双方とも省略してもよく、この場合にも斜め折線Ｂ1a、Ｂ1bは、補強部２８が無く凹部２６を有する上述のドリップバッグ１Ｃと同様に形成することが好ましい。
【００４４】
図６Ａに示したドリップバッグ１Ｄは、図１Ａに示したドリップバッグ１Ａに対し、左右一対の掛止部２３の中心線Ａ側の端部の折れ線Ｂ２を省略したものである。折れ線Ｂ２が形成されていなくても、図６Ｂに示したように掛止部２３は引き起こすことができる。
【００４５】
図７に示したドリップバッグ１Ｅは、図５に示したドリップバッグ１Ｃにおいて、左右一対の掛止部２３の中心線Ａ側の端部の折れ線Ｂ２を省略したものである。
【００４６】
このように、本発明では袋本体１０を開口させるために種々の態様をとることができる。
【００４７】
以上、袋本体１０にコーヒー粉を充填したドリップバッグについて説明したが、本発明のドリップバッグの袋本体１０に充填する抽出材料はコーヒー粉に限らない。紅茶、緑茶等の茶葉、漢方薬等を充填してもよい。
【００４８】
また、本発明のドリップバッグは、上述した種々のドリップバッグにおいて、抽出材料を充填せず、袋本体１０の上辺１１ａが開口している空袋として構成してもよい。これにより、ドリップバッグのユーザーが好みの抽出材料を袋本体に充填し、抽出液を得ることが可能となる。
【符号の説明】
【００４９】
１Ａ、１Ｂ、１Ｃ、１Ｄ、１Ｅ  ドリップバッグ
１０    袋本体
１１ａ  上辺
１１ｂ  下辺
１１ｃ、１１ｄ  側辺
２０    掛止部材
２１    上部帯状部
２３、２３ａ、２３ｂ    掛止部
２４    中間部
２５    中央貼着部
２５ａ  斜め折れ線で挟まれた領域
２６    凹部
２７    連結部
２８    補強部
２９    易開裂線
３０    切除部
４０    ドリップバッグ製造用シート
４１    通水濾過性シート
１００    カップ
Ａ    中心線
Ｂ1a、Ｂ1b   斜め折れ線
Ｂ1a-b、Ｂ1b-b   斜め折れ線の下端
Ｂ1a-u、Ｂ1b-u   斜め折れ線の上端
Ｂ２、Ｂ３  折れ線
Ｃ１、Ｃ２  範囲
Ｘ    視線
【図１Ａ】
2020025855.tif 000003
【図１Ｂ】
2020025855.tif 000004
【図１Ｃ】
2020025855.tif 000005
【図１Ｄ】
2020025855.tif 000006
【図２】
2020025855.tif 000007
【図３】
2020025855.tif 000008
【図４Ａ】
2020025855.tif 000009
【図４Ｂ】
2020025855.tif 000010
【図５】
2020025855.tif 000011
【図６Ａ】
2020025855.tif 000012
【図６Ｂ】
2020025855.tif 000013
【図７】
2020025855.tif 000014
【図８Ａ】
2020025855.tif 000015
【図８Ｂ】
2020025855.tif 000016
【図８Ｃ】
2020025855.tif 000017